(57)【要約】【課題】従来の車載表示装置にあっては、外部記憶媒体の表示データを選択して表示するものであることから、前記外部記憶媒体を所有していない場合や外部記憶媒体の読出手段が故障したような場合には、表示板によって表示が行えないといった問題があった。【解決手段】表示データの内の指定した複数の表示データを表示項目選択手段５に組み込まれている自動読取プログラムによって取り込んでメモリ手段４に記憶させると共に、記憶させた前記表示データから適宜選択して表示板７によって表示するようにした車載用表示装置である。【選択図】　　　　図１
2004102684.tif 000002
【特許請求の範囲】
【請求項１】
各種の表示データが記憶されたメモリカード等の外部記憶媒体を車両に積載されている読出手段に装填し、該装填した外部記憶媒体から道路状況に応じた表示データを選択し表示板によって表示するようにした車載用表示装置において、前記表示データの内の指定した複数の表示データを前記車載用表示装置の表示項目選択手段に組み込まれている自動読取プログラムによって取り込んでメモリ手段に記憶させると共に、記憶させた前記表示データから適宜選択して前記表示板によって表示することを特徴とする車載用表示装置。
【請求項２】
前記外部記憶媒体を読出手段に装填する毎に、前記メモリ手段に記憶されている表示データを上書きして記憶するようにしたことを特徴とする請求項１記載の車載用表示装置。
【請求項３】
前記使用頻度の高い表示データは、使用された回数を外部記憶媒体に記憶し、前記外部記憶媒体に記憶されている多数の表示データから前記外部記憶媒体に記憶された使用頻度の高い表示データを自動的に選択して記憶するようにしたことを特徴とする請求項１記載の車載用表示装置。
【請求項４】
前記外部記憶媒体に記憶されている複数の表示データにはアドレスが付与されており、前記表示項目選択手段は該アドレスの順位の高い複数個の表示データを前記表示項目選択手段が自動的に読取記憶するようにしたことを特徴とする請求項１記載の車載用表示装置。
【請求項５】
前記外部記憶媒体に記憶されている複数の表示データにはフラグが立てられており、前記表示項目選択手段は該フラグが立てられた表示データを前記表示項目選択手段が自動的に読取記憶するようにしたことを特徴とする請求項１記載の車載用表示装置。
【発明の詳細な説明】
【０００１】
【発明の属する技術分野】
本発明は、車両に積載され路側帯に停車した状態において、あるいは、低速で走行しながら各種の道路情報を走行車両に対して表示して注意を喚起するための車載用表示装置に関する。
【０００２】
【従来の技術】
従来、道路を管理する道路管理者が所有する車載用表示装置を搭載した車両は、事故発生現場や工事現場近傍の路側帯に停車して道路情報を走行車両に知らせるものである。
【０００３】
【特許文献１】
例えば、登録実用新案公報第３００３９６８号に開示されている。この公報に開示されている表示装置にあっては、前記道路状況を表示するための表示データを磁気ディスクやメモリカード等の外部記憶媒体に記憶させ、この外部記憶媒体を表示装置に搭載されている読出手段において装填した状態で、前記外部記憶媒体に記憶されている多数の表示データから表示板によって表示しようとする表示データのみを選択し表示するものであった。
【０００４】
【発明が解決しようとする課題】
ところで、前記した従来の車載用表示装置にあっては、外部記憶媒体の表示データを選択して表示するものであることから、前記外部記憶媒体を所有していない場合や外部記憶媒体の読出手段が故障したような場合には、表示板によって表示が行えないといった問題があった。
【０００５】
本発明は前記した問題点を解決せんとするもので、その目的とするところは、外部記憶媒体に記憶されている表示データの内から予め必要とする表示データをメモリ手段に記憶させておくことで、読出手段が故障したり、道路管理者が外部記憶媒体を紛失したり、所持するのを忘れたりしても道路情報の表示に支障を来すことがない車載用表示装置を提供せんとするにある。
【０００６】
【課題を解決するための手段】
本発明の車載用表示装置は前記した目的を達成せんとするもので、請求項１の手段は、各種の表示データが記憶されたメモリカード等の外部記憶媒体を車両に積載されている読出手段に装填し、該装填した外部記憶媒体から道路状況に応じた表示データを選択し表示板によって表示するようにした車載用表示装置において、前記表示データの内の指定した複数の表示データを前記車載用表示装置の表示項目選択手段に組み込まれている自動読取プログラムによって取り込んでメモリ手段に記憶させると共に、記憶させた前記表示データから適宜選択して前記表示板によって表示することを特徴とする。
【０００７】請求項２の手段は、前記請求項１の手段において、前記外部記憶媒体を読出手段に装填する毎に、前記メモリ手段に記憶されている表示データを上書きして記憶するようにしたことを特徴とする。
【０００８】
請求項３の手段は、前記請求項１の手段において、前記使用頻度の高い表示データは、使用された回数を前記外部記憶媒体に記憶し、前記外部記憶媒体に記憶されている多数の表示データから前記外部記憶媒体に記憶された使用頻度の高い表示データを自動的に選択して記憶するようにしたことを特徴とする。
【０００９】
請求項４の手段は、前記請求項１の手段において、前記外部記憶媒体に記憶されている複数の表示データにはアドレスが付与されており、前記表示項目選択手段は該アドレスの順位の高い複数個の表示データを前記表示項目選択手段が自動的に読取記憶するようにしたことを特徴とする。
【００１０】
請求項５の手段は、前記請求項１の手段において、前記外部記憶媒体に記憶されている複数の表示データにはフラグが立てられており、前記表示項目選択手段は該フラグが立てられた表示データを前記表示項目選択手段が自動的に読取記憶するようにしたことを特徴とする。
【００１１】
【発明の実施の形態】
以下、本発明に係る車載用表示装置の一実施の形態を図面と共に説明する。
図１は車載用表示装置の回路ブロックを示し、１は図２、図３のフローチャートに示す動作を制御するためのＣＰＵ、２は外部記憶媒体の読出手段にして、この実施の形態にあっては、外部記憶媒体としてメモリカード３を使用し、読出手段２としてメモリカードに記憶されている表示データを読取るものとする。
【００１２】
４は後述する表示項目選択手段によって選択された表示データのみを記憶するメモリ手段、５は前記メモリ手段４から読み出され後述する表示板７において表示された表示データの内で、使用された回数が多かった表示データの回数をメモリカード３に記憶させておき、次回のメモリカード３の読取りの際に表示データを表示回数の多かったものから選択し、あるいは、メモリカード３に予め記憶されているアドレスが付与されている表示データから順位の高いアドレスの表示データを選択し、または、メモリカード３に記憶されている表示データの内の予めフラグが付与されている表示データのみを選択し前記メモリ手段４に記憶させる表示項目選択手段、６は車載用表示装置を搭載した車両の運転席等に設置されたモニタ、７は車両後部に積載し車両後方に向かって道路情報を表示する表示板、８は前記メモリ手段４に記憶した多数の表示データから表示しようとする表示データを選択して、前記表示板７に表示させるための表示制御部である。
【００１３】
次に、図２はメモリカード３の表示データをメモリ手段４に記憶させるフローチャートを示し、以下、その動作を説明する。
先ず、電源をオン状態にすると（ステップＳ１）、ＣＰＵ１はメモリカード３が読出手段２に装填されているか否かを監視する（ステップＳ２）。このステップＳ２において、メモリカード３が読出手段２に装填されていないと判断されるとステップＳ２に戻りメモリカード３の装填を監視する。
【００１４】
また、メモリカード３が装填されていると判断すると、メモリカード３に記憶されている表示データの読取りが行えるか否かの判断を行い（ステップＳ３）、ここで、例えば、メモリカード３や読出手段２が故障していたりして読取りができない場合には、故障が発生しているとの表示を行う（ステップＳ４）。一方、メモリカード３の表示データの読取りが可能と判断された場合には、メモリ手段４に取り込むことが必要と思われる表示項目の選択に進む（ステップＳ５）。
【００１５】
ここで、必要表示項目選択とは、表示項目選択手段５において、現地に赴いた管理者が自分で必要と思われる表示項目を選択してもよいが、予めメモリカード３に記憶させておく多数の表示データにそれぞれアドレスを付与しておき、表示項目選択手段５において予め前記アドレスの内のどのアドレスの表示データを記憶させるかを選択したり、または、メモリカード３に記憶されている表示データの内の記憶させたい表示データにフラグを付与しておき、表示項目選択手段５において前記フラグの付与されている表示データを選択するようにプログラムしておく。そして、前記したようにステップＳ５において選択された表示データはメモリ手段４に記憶される（ステップＳ６）。
【００１６】
なお、前記したアドレスやフラグを付与した表示データと、メモリカードに付与した使用回数の多い表示データの両者を選択するようにプログラムしてもよい。
【００１７】
図３は前記メモリ手段４に記憶されている表示データを表示板７で表示するためのフローチャートを示し、以下、その動作を説明する。
管理者が道路状況に応じた表示項目を表示データから選択して表示する場合には、表示制御部８の図示しない操作キーを操作して表示板７への表示操作を行う（ステップＳ１１）。該操作が行われると、前記した図２のフローチャートで示すメモリカード３の読取りが可能となる。この時、前記ステップＳ３における読出手段２の故障（ＮＯ）によって表示データの読取りが行われなかった場合には、前以って記憶されている表示項目が読取られモニタ６に表示される（ステップＳ１２）。
【００１８】
このモニタ６に表示された表示項目を見た管理者は、現在の道路状況に応じた表示項目をモニタ６の画面に触れ、あるいは、選択スイッチを操作して選択する（ステップＳ１３）。前記選択操作が行われると、モニタ６には選択された表示項目のみが表示されるので、これを確認して間違いがないと判断して点灯制御（例えば、実行スイッチを操作する）を行うと（ステップＳ１４）、表示板７に前記選択決定した表示項目が表示される（ステップＳ１５）。
【００１９】
なお、メモリ手段４に記憶されている表示データは、例えば、夏と冬などで表示データが異なるような地域においては、メモリ手段４に記憶されている夏用の表示データを冬用の表示データに書き換える必要が生じる。この場合、書換えによって夏用の表示データを消去させるようにすれば、メモリ手段４の容量は小さくてよくなるので、コストの安いメモリを使用することができる。
【００２０】
また、前記した実施の形態においては、外部記憶媒体としてメモリカードの場合について説明したが、磁気ディスクや光磁気記憶媒体などの如く、持ち運ぶのに便利な記憶媒体であればよいことは勿論のことである。
【００２１】
【発明の効果】
本発明は前記したように、表示データの内の指定した複数の表示データを表示項目選択手段に組み込まれている自動読取プログラムによって取り込んでメモリ手段に記憶させると共に、記憶されている前記表示データから適宜選択して表示板によって表示するようにしたので、読出手段が故障したり、あるいは、道路管理者が外部記憶媒体を忘れたり、紛失したりしても必要とする道路情報を表示することができる。また、夏冬兼用で車両が使用され異なる表示データを必要とすることに対して表示データの書き換えが行えるため、メモリ手段の容量を小さくすることができ、コストの低減を図ることができる。
【００２２】
さらに、メモリ手段に記憶させる表示データは、外部記憶媒体に記憶されているアドレスを付与したり、フラグを立てたりした表示データ、あるいは、使用頻度の高い表示データの何れか、または、複数の方法からなる表示データを選択することにより、現場における道路管理者がどの表示データを選択するのかに迷ったりすることがなく、必要とする表示データの全てが充足でき、経験者でなくとも作業が円滑に行える等の効果を有するものである。
【図面の簡単な説明】
【図１】本発明に係る車載用表示装置の一実施の形態を示す回路ブロック図である。
【図２】メモリ手段に記憶させる動作を説明するためのフローチャートである。
【図３】メモリ手段に記憶されている表示データを表示するまでのフローチャートである。
【符号の説明】
１　　　　　ＣＰＵ
２　　　　　読出手段
３　　　　　メモリカード（外部記憶媒体）
４　　　　　メモリ手段
５　　　　　表示項目選択手段
６　　　　　モニタ
７　　　　　表示板
８　　　　　表示制御部
【図１】
2004102684.tif 000003
【図２】
2004102684.tif 000004
【図３】
2004102684.tif 000005